(57)【要約】【課題】光の拡散効果が高く、多方向へ均一に光を照射することができ、美観に優れたＬＥＤランプを提供すること。【解決手段】ＬＥＤ支持体１の一面に回路板１２及び内ランプカバー２を設置し、ＬＥＤ支持体１の他面に、回路板１２と接続した導電部材１４を突設し、導電部材１４の外面に、ランプ支持部へ取り付けるための結合部１４１を設けると共に、一方の極性端子１４２及び他方の極性端子１４３を設け、回路板１２上にＬＥＤ１３を取り付け、ＬＥＤ１３を内ランプカバー２で覆い、内ランプカバー２にＬＥＤ１３が発した光を拡散する拡散面２１を形成し、外ランプカバー３は、平滑な表面を有し、内ランプカバー２の外側を覆ってＬＥＤ支持体１に取り付けられている。【選択図】図１
0003137575.tif 000002
【実用新案登録請求の範囲】
【請求項１】
ＬＥＤ（発光ダイオード）、ＬＥＤ支持体、内ランプカバー及び外ランプカバーを備え、前記ＬＥＤ支持体の一面に回路板及び前記内ランプカバーを設置し、前記ＬＥＤ支持体の他面に、前記回路板と接続した導電部材を突設し、該導電部材の外面に、ランプ支持部へ取り付けるための結合部を設けると共に、一方の極性端子及び他方の極性端子を設け、前記回路板上に前記ＬＥＤを取り付け、該ＬＥＤを前記内ランプカバーで覆い、前記内ランプカバーに前記ＬＥＤが発した光を拡散する拡散面を形成し、前記外ランプカバーは、平滑な表面を有し、前記内ランプカバーの外側を覆って前記ＬＥＤ支持体に取り付けられていることを特徴としたＬＥＤランプ。
【請求項２】
前記結合部がネジ溝より成る請求項１に記載のＬＥＤランプ。
【請求項３】
前記一方の極性端子を前記導電部材の外周面に設け、前記他方の極性端子を前記導電部材の先端面に設けた請求項１又は２に記載のＬＥＤランプ。
【請求項４】
前記内ランプカバーの外面が前記拡散面となっている請求項１〜３のいずれかに記載のＬＥＤランプ。
【請求項５】
前記内ランプカバーの内面が前記拡散面となっている請求項１〜３のいずれかに記載のＬＥＤランプ。
【請求項６】
前記拡散面には、多数の同心円状の突条、連続した多数の角錐状突起、適宜間隔をおいた多数の小突起、及び、多数の小凹部のいずれかを形成した請求項１〜５のいずれかに記載のＬＥＤランプ。
【請求項７】
前記内ランプカバーを着色してある請求項１〜６のいずれかに記載のＬＥＤランプ。
【請求項８】
前記外ランプカバーを着色してある請求項１〜７のいずれかに記載のＬＥＤランプ。
【考案の詳細な説明】
【技術分野】
【０００１】
本考案は、ＬＥＤランプに関する。
【背景技術】
【０００２】
常夜灯としては、通常、特許文献１及び特許文献２に記載されているような照明器具が使用されている。この照明器具は、図８に示すように、ランプ支持部Ａ上にタングステンランプＢを設置して成る。
しかし、タングステンランプは、エネルギーの消費量が大きいばかりか、発熱量が多くてタングステンが容易に焼きついてしまい、寿命が短いので頻繁にランプを交換しなければならないという欠点がある。
【０００３】
また、図９に示すように、ランプ支持部Ａ上に発光ダイオード（ＬＥＤ）ランプＣを設置した常夜灯も知られている。
ところが、ＬＥＤランプＣは、ランプ支持部Ａからの立ち上がり寸法が低いので、光の照射方向によって明るさにむらができてしまう。これを防ぐために、ランプカバーＣ１の表面に多数の突起Ｃ２を形成するかフロスト面とし、光を拡散させて照射する必要があったが、このようなランプカバーＣ１は、外観が凸凹になって美観に欠け、汚れが付着して光の透過率が低下しやすい。
【０００４】
【特許文献１】台湾実用新案第Ｍ５１１７９５号明細書
【特許文献２】台湾実用新案第Ｍ２４４４００号明細書
【考案の開示】
【考案が解決しようとする課題】
【０００５】
本考案が解決しようとする課題は、光の拡散効果が高く、多方向へ均一に光を照射することができ、美観に優れたＬＥＤランプを提供することにある。
【課題を解決するための手段】
【０００６】
本考案のＬＥＤランプは、ＬＥＤ（発光ダイオード）、ＬＥＤ支持体、内ランプカバー及び外ランプカバーを備え、前記ＬＥＤ支持体の一面に回路板及び前記内ランプカバーを設置し、前記ＬＥＤ支持体の他面に、前記回路板と接続した導電部材を突設し、該導電部材の外面に、ランプ支持部へ取り付けるための結合部を設けると共に、一方の極性端子及び他方の極性端子を設け、前記回路板上に前記ＬＥＤを取り付け、該ＬＥＤを前記内ランプカバーで覆い、前記内ランプカバーに前記ＬＥＤが発した光を拡散する拡散面を形成し、前記外ランプカバーは、平滑な表面を有し、前記内ランプカバーの外側を覆って前記ＬＥＤ支持体に取り付けられている。
【０００７】
前記結合部はネジ溝であっても良い。
前記一方の極性端子を前記導電部材の外周面に設け、前記他方の極性端子を前記導電部材の先端面に設けることがある。
前記内ランプカバーの外面或いは内面が前記拡散面となっている。
前記拡散面には、多数の同心円状の突条、連続した多数の角錐状突起、適宜間隔をおいた多数の小突起、及び、多数の小凹部のいずれかを形成しても良い。
前記内ランプカバーを着色することがある。
前記外ランプカバーが着色することがある。
【考案の効果】
【０００８】
本考案によれば、発光部材としてＬＥＤを用いたので、電力消費量を削減でき、寿命が長いため交換頻度が少なくて済み、発熱量が低くて安全性が高い。
また、光が拡散されて多方向に均一に照射され、外ランプカバーの表面が平滑なので、体裁が良いばかりか、汚れが付着し難く、内ランプカバーの拡散面が視線を遮るため、外部から回路板及びＬＥＤが見えず、さらに美観が増す。
【考案を実施するための最良の形態】
【０００９】
図１〜図３は、本考案の実施例１を示す。
本考案のＬＥＤランプは、図１に示すように、ＬＥＤ（発光ダイオード）１３と、ＬＥＤ支持体１と、ＬＥＤ１３を覆う内ランプカバー２と、内ランプカバー２の外側に被せた外ランプカバー３とを備える。
ＬＥＤ支持体１の表面には収納凹部１１を形成し、収納凹部１１の内部に回路板１２を設置すると共に、回路板１２の上にＬＥＤ１３を取り付けられてある。
また、ＬＥＤ支持体１の裏面には、回路板１２と接続した導電部材１４が突出している。導電部材１４の外周面にはネジ溝から成る結合部１４１を形成し、導電部材１４の側面に一方の極性端子１４２を設けると共に、導電部材１４の先端面に他方の極性端子１４３を設けてある。
【００１０】
内ランプカバー２は、透光材より成り、収納凹部１１内に設置されてＬＥＤ１３を覆う。図２に示すように、内ランプカバー２の外面は、多数の同心円状の突条２１１を連続して形成した拡散面２１となっている。
外ランプカバー３は、透光材より成り、その表面は平滑に形成してある。また、外ランプカバー３は、内ランプカバー２の外側を覆うように、その周縁をＬＥＤ支持体１の表面外周に取り付けてある。
【００１１】
ＬＥＤランプを使用する際には、図３に示すように、ランプ支持部ＡにこのＬＥＤランプを取り付ける。ランプ支持部Ａの表面にはネジ穴を形成し、ネジ穴の内周面に一方の極性端子Ａ１を設置すると共に、ネジ穴の底面に他方の極性端子Ａ２を設置してある。
ＬＥＤランプの導電部材１４をネジ穴に挿入して結合部１４１を螺合すると、ＬＥＤランプの一方の極性端子１４２及び他方の極性端子１４３が、それぞれランプ支持部Ａの一方の極性端子Ａ１及び他方の極性端子Ａ２に接触し、導電部材１４及び回路板１２を介して電源に接続されたＬＥＤ１３が発光する。
【００１２】
ＬＥＤ１３が発した光は内ランプカバー２の拡散面２１に投射され、拡散面２１の突条２１１で均一に拡散されて外ランプカバー３を通過し、多方向へ均一に照射される。
外ランプカバー３の表面は平滑なので、外観が優れているばかりか、汚れも付着し難い。また、内ランプカバー２の拡散面２１は視線を遮るので、外部から回路板１２及びＬＥＤ１３を直接見ることができず、さらに美観を増す。
なお、拡散面２１は内ランプカバー２の内面に形成しても良く、内ランプカバー２及び外ランプカバー３を着色して、ＬＥＤランプから照射される光に色をつけることもできる。
【００１３】
図４及び図５は、本考案の実施例２を示す。
本実施例では、内ランプカバー２Ａの外面に、多数の角錐形突起２１１Ａを連続して形成して拡散面２１Ａとしてある。
その他の構成及び使用方法は実施例１と同様なので、同一部分に共通の符号を付して詳細な説明を省略する。
【００１４】
図６は、本考案の実施例３を示す。
内ランプカバー２Ｂの拡散面２１Ｂには、多数の小突起２１１Ｂを適宜間隔ごとに、均一に形成してある。
その他の構成は、実施例１及び実施例２と変わるところはない。
【００１５】
図７は本考案の実施例４を示す。
内ランプカバー２Ｃの拡散面２１Ｃには、多数の小凹部２１１Ｃを適宜間隔ごとに、均一に形成されている。
その他の構成及び使用方法は、実施例１〜３とほぼ同じである。
【図面の簡単な説明】
【００１６】
【図１】本考案の実施例１を示すＬＥＤランプの縦断面図。
【図２】本考案の実施例１を示すＬＥＤランプの横断面図。
【図３】本考案の実施例１を示すＬＥＤランプの使用状態における縦断面図。
【図４】本考案の実施例２を示すＬＥＤランプの使用状態における縦断面図。
【図５】本考案の実施例２を示すＬＥＤランプの横断面図。
【図６】本考案の実施例３を示すＬＥＤランプの使用状態における縦断面図。
【図７】本考案の実施例４を示すＬＥＤランプの使用状態における縦断面図。
【図８】従来のタングステンランプの使用状態における縦断面図。
【図９】従来のＬＥＤランプの使用状態における縦断面図。
【符号の説明】
【００１７】
１  ＬＥＤ支持体
１１  収納凹部
１２  回路板
１３  ＬＥＤ（発光ダイオード）
１４  導電部材
１４１  結合部
１４２  一方の極性端子
１４３  他方の極性端子
２，２Ａ，２Ｂ，２Ｃ  内ランプカバー
２１，２１Ａ，２１Ｂ，２１Ｃ  拡散面
２１１  突条
２１１Ａ  角錐形突起
２１１Ｂ  小突起
２１１Ｃ  小凹部
３  外ランプカバー
Ａ  ランプ支持部
Ａ１  一方の極性端子
Ａ２  他方の極性端子
【図１】
0003137575.tif 000003
【図２】
0003137575.tif 000004
【図３】
0003137575.tif 000005
【図４】
0003137575.tif 000006
【図５】
0003137575.tif 000007
【図６】
0003137575.tif 000008
【図７】
0003137575.tif 000009
【図８】
0003137575.tif 000010
【図９】
0003137575.tif 000011